(57)【要約】      （修正有）【課題】本体部の設置状態に拘わらず、外部に対して常に通気を行うことができる通気口を備えた消毒用ボトル及びこの消毒用ボトルを用いた内視鏡洗浄消毒装置を提供する。【解決手段】消毒用ボトル５０は、内視鏡洗浄消毒装置により内視鏡を洗浄消毒するための消毒液５５を貯留するものであって、消毒液５５を所定量貯留する本体部５２と、本体部５２に設けられ、本体部５２の内部の気体を外部に排出するように通気を行うための複数の通気口５３、５３とを有し、これら複数の通気口５３、５４の少なくとも１つの通気口は、消毒液５５の液面５５ａより重力方向の高い位置に設けて構成している。【選択図】図３
2009148368.tif 000002
【特許請求の範囲】
【請求項１】
内視鏡洗浄消毒装置により内視鏡を洗浄消毒するための消毒液を貯留した消毒用ボトルにおいて、
前記消毒液を所定量貯留する本体部と、
前記本体部に設けられ、前記本体部の内部の気体を外部に排出するように通気を行うための複数の通気口と、を具備し、
前記複数の通気口の少なくとも１つの通気口は、前記消毒液の液面より重力方向の高い位置に設けたことを特徴とする消毒用ボトル。
【請求項２】
前記複数の通気口は、液体を透過せず気体のみを透過させる特性を有する部材で構成された透過性部材によって開口部が閉塞されていることを特徴とする請求項１に記載の消毒用ボトル。
【請求項３】
前記複数の通気口の少なくとも１つの通気口は、前記内視鏡洗浄消毒装置内の洗浄消毒槽に供給される消毒液を貯留する消毒用タンクの注入口に取り付けられることを特徴とする請求項１又は請求項２に記載の消毒用ボトル。
【請求項４】
内視鏡洗浄消毒装置により内視鏡を洗浄消毒するための消毒液を所定量貯留する本体部と、前記本体部に設けられ、前記本体部の内部の気体を外部に排出するように通気を行うための複数の通気口とを具備し、前記複数の通気口の少なくとも１つの通気口が、前記消毒液の液面より重力方向の高い位置に設けられた消毒用ボトルと、
前記内視鏡を収容して洗浄消毒を行うための洗浄消毒槽と、
前記消毒用ボトルの前記複数の通気口の少なくとも１つの通気口が取り付けられる注入口を備え、この注入口を介して、前記洗浄消毒槽に供給するための前記消毒液を前記毒用ボトルから注入して貯留する消毒用タンクと、
を具備したことを特徴とする内視鏡洗浄消毒装置。
【請求項５】
前記消毒用ボトルの前記複数の通気口は、液体を透過せず気体のみを透過させる特性を有する部材で構成された透過性部材によって開口部が閉塞されていることを特徴とする請求項４に記載の内視鏡洗浄消毒装置。
【発明の詳細な説明】
【技術分野】
【０００１】
本発明は、内視鏡を洗浄消毒する内視鏡洗浄消毒装置に用いられる消毒用ボトル及びこの消毒用ボトルを用いた内視鏡洗浄消毒装置に関する。
【背景技術】
【０００２】
周知のように、内視鏡は、医療分野及び工業用分野において広く利用されている。医療分野において用いられる内視鏡は、細長い挿入部を体腔内に挿入することによって、体腔内の臓器を観察したり、必要に応じて処置具の挿通チャンネル内に挿入した処置具を用いて各種処置をすることができる。
【０００３】
特に医療分野の内視鏡は、検査及び治療を目的として体腔内に挿入して使用されるものであるため、使用後に洗浄消毒が必要である。この使用済みの内視鏡を洗浄消毒する場合、例えば、内視鏡洗浄消毒装置が使用される場合がある。このとき内視鏡は、内視鏡洗浄消毒装置の洗浄槽内にセットされ、洗浄、消毒、濯ぎ及び水切りがされる。  
また、内視鏡の内部には、送気送水管路、鉗子口等複数の管路を有している。これら管路内は、十分に洗浄液及び消毒液が通過し、確実に洗浄及び消毒等される必要がある。
【０００４】
このような、使用済みの内視鏡、その内部に有している各種管路等を洗浄及び消毒等する内視鏡洗浄消毒装置は、内視鏡を洗浄するための洗浄剤及び乾燥を促すためのアルコールや、内視鏡を消毒するための消毒液等の液体を貯留するタンクを備えている。
【０００５】
これらの洗浄剤及びアルコール等は、ユーザにより、装置が行う洗浄工程、アルコールフラッシュ工程等を所定の回数で行える液量がタンク内に適宜、注入され貯留される。
【０００６】
また、消毒液等は、ユーザにより、予め所定量貯留された消毒用ボトルを介して所定量の消毒液がタンク内に注入され貯留される。
【０００７】
この消毒液には、ガスを発生するものがある。そのため、この消毒液を貯留する消毒用ボトルには、発生したガスを外部へと逃がすためのリリーフ機構が設けられている。
【０００８】
このようなリリーフ機構が設けられた従来の消毒用ボトルの一例が図１７に示されている。
【０００９】
図１７に示すように、従来の消毒用ボトル１０１は、消毒液１０４が予め所定量貯留される本体部１０２と、この本体部１０２を構成する１面に設けられ、内視鏡洗浄消毒装置のタンクと着脱自在に取り付けるための口金としての機能を備えた通気口１０３とを有して構成されている。
【００１０】
この通気口１０３は、本体部１０２内部と連通しており、その開口部には、液体（消毒液）を透過せず、気体のみを透過する特性を有する透湿性素材（例えばゴアテックス (Gore-Tex)：登録商標）で構成された蓋部１０３ａが設けられている。
【００１１】
このような構成の消毒用ボトル１０１は、この消毒用ボトル１０１を例えば図１７に示すように通気口１０３を上側に向けた状態で運搬又は保管する場合には、本体部１０２内の消毒液１０４の水面１０４ａより上部に生じる空き領域にガスが発生して貯まったとしても、発生したガスをこの通気口１０３の蓋部１０３ａを介して本体部１０２の外部へと逃がすことができるようになっている。
【００１２】
従来の消毒用ボトルの関連技術としては、例えば特許文献１に記載されているものがある。この特許文献１には、ボトル本体の口部に設けられ、タンクの注入口に着脱自在に取り付けられる着脱部と、ボトル本体の口部を閉塞するとともにこの口部が開放されるように破断可能な薄膜部と、着脱部に設けられ、タンクの注入口に気密且つ液密に接続してボトル本体の口部を外部に対して気密且つ気密状態に保持するシール部とを備えることで、洗浄液の調合作業を容易に行えるようにした消毒液ボトルが開示されている。
【００１３】
また、複数の通気口を有する関連技術としては、例えば特許文献２に記載されているものがある。この特許文献２には、通気性と防水性を有する複数の通気口を有し、その複数の通気口の一部に通気性を遮断又は低下させるシール材を設けたもので、内部に自動車の電気部品等を収容する収容ケースに関する技術が開示されている。
【特許文献１】特開２０００−２８８０６９号公報
【特許文献２】特開２００６−３１５７２５号公報
【発明の開示】
【発明が解決しようとする課題】
【００１４】
しかしながら、図１７に示すような従来の消毒用ボトル１０１では、図１８に示すように本体部１０２を横倒し状態、或いは図１９に示すように本体部１０２を逆さま状態で設置して運搬又は保管を行った場合には、本体部１０２に貯留される消毒液１０４の液面１０４ａが通気口１０３によりも高くなり、通気口１０３が消毒液１０４により塞がれてしまうことになる。
【００１５】
そのため、通気口１０３による通気動作を行うことができないので、仮に本体部１０２内にガスが発生した場合には、本体部１０２内部の圧力が高くなってしまうため、本体部１０２が破裂してしまう虞れがあった。
【００１６】
また、特許文献１に記載の消毒用ボトルは、通気口が設けられてなく、さらに、前記同様にボトル本体を横倒し状態、又は逆さま状態にして設置して運搬又は保管した場合に、発生したガスを外部へと逃がすための構成について何等開示も示唆もされてなく、前記問題点を解決するに至ってはいない。
【００１７】
また、特許文献２に記載の収容ケースは、複数の通気口を備えてはいるが、内視鏡洗浄消毒装置に用いられる洗浄液を貯留するものではなく、自動車の電気部品等を収容するものであることから、内視鏡洗浄消毒装置の技術分野とは異なるため、同様に前記問題点を解決するに至っていない。
【００１８】
そこで、本発明は前記問題点に鑑みてなされたもので、本体部の設置状態に拘わらず、外部に対して常に通気を行うことができる通気口を備えた消毒用ボトル及びこの消毒用ボトルを用いた内視鏡洗浄消毒装置を提供することを目的とする。
【課題を解決するための手段】
【００１９】
本発明の洗浄消毒用ボトルは、内視鏡洗浄消毒装置により内視鏡を洗浄消毒するための消毒液を貯留した消毒用ボトルにおいて、前記消毒液を所定量貯留する本体部と、前記本体部に設けられ、前記本体部の内部の気体を外部に排出するように通気を行うための複数の通気口と、を具備し、前記複数の通気口の少なくとも１つの通気口は、前記消毒液の液面より重力方向の高い位置に設けたことを特徴とする。
【００２０】
また、本発明の内視鏡洗浄消毒用装置は、内視鏡洗浄消毒装置により内視鏡を洗浄消毒するための消毒液を所定量貯留する本体部と、前記本体部に設けられ、前記本体部の内部の気体を外部に排出するように通気を行うための複数の通気口とを具備し、前記複数の通気口の少なくとも１つの通気口が、前記消毒液の液面より重力方向の高い位置に設けられた消毒用ボトルと、前記内視鏡を収容して洗浄消毒を行うための洗浄消毒槽と、前記消毒用ボトルの前記複数の通気口の少なくとも１つの通気口が取り付けられる注入口を備え、この注入口を介して、前記洗浄消毒槽に供給するための前記消毒液を前記毒用ボトルから注入して貯留する消毒用タンクと、を具備している。
【発明の効果】
【００２１】
本発明によれば、本体部の設置状態に拘わらず、外部に対して常に通気を行うことができる通気口を備えた洗浄消毒用ボトル及びこの洗浄消毒用ボトルを用いた内視鏡洗浄消毒装置を提供することができる。
【発明を実施するための最良の形態】
【００２２】
（第１の実施の形態）
以下、図面を参照して本発明の第１の実施の形態を説明する。
【００２３】
図１は本発明の第１の実施の形態を示し、トップカバが開放され、洗浄消毒槽に内視鏡が収納自在な状態を示す内視鏡洗浄消毒装置の斜視図、図２はトップカバを閉じて洗浄消毒槽を塞いだ状態を示す内視鏡洗浄消毒装置の斜視図である。
【００２４】
図１に示すように、第１の実施の形態の洗浄消毒用ボトルが適用される内視鏡洗浄消毒装置１は、使用済みの内視鏡１００を洗浄、消毒するための装置であり、装置本体２と、その装置本体２の上部に、例えば図示しない蝶番を介して開閉自在に接続された蓋体であるトップカバ３とにより主要部が構成されている。
【００２５】
図２に示すように、トップカバ３が、装置本体２に閉じられている状態では、装置本体２とトップカバ３とは、装置本体２及びトップカバ３の互いに対向する位置に配設された、例えばラッチ８により固定される構成となっている。
【００２６】
装置本体２のユーザが近接する図中前面（以下、前面と称す）であって、例えば左半部の上部に、洗浄剤／アルコールトレイ１１が、装置本体２の前方へ引き出し自在に配設されている。
【００２７】
洗浄剤／アルコールトレイ１１には、内視鏡１００を洗浄するに際して用いる液体である洗浄剤が貯留された洗浄剤タンク１１ａ及び、洗浄消毒後の内視鏡１００の各種内視鏡管路を乾燥する際に用いられる液体であるアルコールが貯留されたアルコールタンク１１ｂが収納されている。
【００２８】
洗浄剤／アルコールトレイ１１が、引き出し自在なことにより、各タンク１１ａ、１１ｂに所定の洗浄剤及びアルコールなどの液体が補充できるようになっている。
【００２９】
尚、洗浄剤／アルコールトレイ１１には、２つの窓部１１ｃ設けられており、これらの窓部１１ｃにより、各タンク１１ａ、１１ｂに注入されている洗浄剤及びアルコールの残量がユーザによって確認できるようになっている。
【００３０】
この洗浄剤は、給水フィルタにより滅菌処理がされた水道水により所定の濃度に希釈される濃縮洗浄剤である。
【００３１】
また、装置本体２の前面であって、例えば右半部の上部に、カセットトレイ１２が、装置本体２の前方へ引き出し自在に配設されている。
【００３２】
カセットトレイ１２には、内視鏡１００を消毒する際に用いる液体である、例えば過酢酸等の消毒液が注入された本実施の形態の消毒用ボトル５０、５１が収納されている。
【００３３】
カセットトレイ１２が、引き出し自在なことにより、これらの消毒用ボトル５０、５１が所定箇所にセットできるようになっている。
【００３４】
また、装置本体２内部には、図示はしないが、洗浄消毒槽４に供給するための消毒液を留する消毒用タンク４０が設けられている。これらの各消毒用タンク４０の図示しない注入口には、カセットトレイ１２を例えば装置本体２内にスライドさせて各消毒液用ボトル５０、５１を所定箇所にセットすることで、これらの洗浄消毒用ボトル５０、５１が装着される。こうして、各消毒用タンク４０には、各消毒用ボトル５０、５１内に予め所定量貯留された消毒液が注入される。  
尚、本実施の形態の消毒用ボトル５０、５１の構成については後述する。  
さらに、装置本体２の前面であって、カセットトレイ１２の上部に、洗浄消毒時間の表示や、消毒液を加温するための指示釦等が配設されたサブ操作パネル１３が配設されている。また、装置本体２の図中前面の下部に、装置本体２の上部に閉じられたトップカバ３を、ユーザの踏み込み操作により、図１に示すように、装置本体２の上方に開くためのペダルスイッチ１４が配設されている。
【００３５】
また、図２に示すように、装置本体２の上面の、例えばユーザが近接する前面側の両端寄りに、装置本体２の洗浄、各種スイッチ類が配設されたメイン操作パネル１５が設けられている。
【００３６】
また、装置本体２の上面であって、ユーザが近接する前面に対向する側に、装置本体２に水道水を供給するための、水道栓に接続されたホースが接続される給水ホース接続口１１が配設されている。尚、給水ホース接続口２１には、水道水を濾過するフィルタが配設されていても良い。
【００３７】
さらに、装置本体２の上面の略中央部に、内視鏡収納口をトップカバ３によって開閉される、内視鏡１００が収納自在な洗浄消毒槽４が設けられている。洗浄消毒槽４は、槽本体３０とこの槽本体３０の内視鏡収納口の外周縁に連続して周設されたテラス部３１とにより構成されている。
【００３８】
槽本体３０は、使用後の内視鏡１００が洗浄消毒される際、この内視鏡１００が収納自在であり、槽本体３０の槽内の面である底面３０ｔには、槽本体３０に供給された洗浄液、水、アルコール、消毒液等を槽本体３０から排水するための排水口２６が設けられている。
【００３９】
また、槽本体３０の槽内の面である周状の側面３０ｓの任意の位置に、槽本体３０に供給された洗浄液、水、アルコール、消毒液等を、槽本体３０から、後述する手段を介して内視鏡１００の内部に配設された各管路に供給する、又はフィルタ等を介し、後述する給水循環ノズル１８から槽本体３０に再度前記液体を供給するための循環口２７が設けられている。尚、循環口には、洗浄液、水、アルコール、消毒液等を濾過するフィルタが設けられていても良い。
【００４０】
また、前記循環口２７は、槽本体３０の底面３０ｔに設けられていても良い。循環口２７が槽本体３０の底面３０ｔに設けられていれば、側面３０ｓに設けるよりも、槽本体３０に供給された洗浄液、水、アルコール、消毒液等を、槽本体３０から、早急に排出することができる。
【００４１】
また、内視鏡１００の各管路、または再度槽本体３０への、洗浄液、水、アルコール、消毒液等の供給を早めることができる。さらに、ユーザが循環口２７に設けられたフィルタ等を交換するに際し、底面に設けられていると、ユーザがアプローチしやすくなるといった利点がある。
【００４２】
洗浄消毒槽４には、槽本体３０の背面側に図１では不図示の超音波振動子、不図示のヒータと、槽本体３０の底面３０ｔの略中央部に管路消毒用ポート７が配設された洗浄ケース６が配設されている。この超音波振動子は洗浄消毒槽４に貯留される洗浄水、或いは水道水に振動を与えて、内視鏡１００の外表面を超音波洗浄、或いは濯ぐものである。また、ヒータは、洗浄消毒槽４内に貯留される消毒液等を所定の温度に加熱するためのものである。
【００４３】
洗浄ケース６は、これに内視鏡１００の各スコープスイッチ等のボタン類、内視鏡１００に併設されている取り外し可能な部品を収容して、内視鏡１００と一緒に洗浄、消毒させるものである。洗浄ケース６の管路消毒用ポート７は、後述するように、洗浄消毒ホースを介して、装置内部の管路に消毒液を供給し、この給水管を消毒するものである。
【００４４】
また、槽本体３０の側面３０ｓの任意の位置には、槽本体３０に供給された洗浄液、水導水、アルコール、消毒液等の水位を検出するカバー付き水位センサ２２が設けられている。
【００４５】
テラス部３１のテラス面３１ｔ以外の面、即ち槽本体３０の底面３０ｔと平行な面に、槽本体３０に対し、洗浄剤タンク１１ａから、図示しないポンプにより、水道水により所定の濃度に希釈される洗浄剤を供給するための洗浄剤ノズル１６及び、消毒用ボトル５０、５１から、図示しないポンプにより、消毒液を供給するための消毒液ノズル１７が配設されている。
【００４６】
さらに、テラス部３１の槽本体３０の底面３０ｔと平行な面には、槽本体３０に対し、アルコールタンク１１ｂから、図２では不図示のポンプにより、アルコールを供給する、または槽本体３０の循環口２７から排出した洗浄液、水、アルコール、消毒液等を、再度槽本体３０に供給するための給水循環ノズル１８が配設されている。  
尚、洗浄剤ノズル１６２、消毒液ノズル１７及び給水循環ノズル１８は、テラス面３１ｔに配設されていても良い。
【００４７】
また、テラス部３１のテラス面３１ｔのユーザ近接位置４ｋに対向する側の面３１ｆに、内視鏡１００の内部に設けられた後述する管路に、洗浄液、水、アルコール、消毒液、エア等を供給するための複数、ここでは２つの送気送水／鉗子口用ポート２３と、鉗子起上用ポート２４と、漏水検知用ポート２５とが配設されている。
【００４８】
次に、このような構成の内視鏡洗浄消毒装置１に用いられる消毒用ボトル５０、５１の具体的な構成について図３〜図５を用いて説明する。尚、消毒用ボトル５１は消毒用ボトル５０の構成と同様であるので消毒用ボトル５０のみの構成について説明する。
【００４９】
図３は第１の実施の形態の消毒用ボトルの通常の設置状態である場合の構成を示す斜視図である。
【００５０】
図３に示すように、第１の実施の形態の消毒用ボトル５０は、前記したように消毒液５５を所定量貯留する本体部５２と、この本体部５２に設けられ、本体部５２の内部の気体を外部に排出するように通気を行うための複数の通気口５３、５４とを具備し、この複数の通気口５３、５４の少なくとも１つの通気口５３（又は５４）は、本体部５２の載置方向に拘わらず、本体部５２内に貯留している消毒液５５の液面５５ａより重力方向の高い本体部５２の位置に設けて構成されている。
【００５１】
尚、図３に示す第１の実施の形態では、複数の通気口として例えば２つの通気口５３、５４とを設けた場合の構成例を示している。
【００５２】
また、通気口５３は、本体部５２内部と連通しており、その開口部には、液体（消毒液５５）を透過せず、気体のみを透過する特性を有する透湿性素材（例えばゴアテックス (Gore-Tex)：登録商標）で構成された蓋部５３ａが設けられている。
【００５３】
また、もう一方の通気口５４は、同様に本体部５２内部と連通しており、その開口部には、液体（消毒液５５）を透過せず、気体のみを透過する特性を有する透湿性素材（例えばゴアテックス (Gore-Tex)：登録商標）で構成された蓋部５４ａが設けられている。
【００５４】
このような通気口５３、５４の少なくとも１つの通気口５３（又は５４）は、本体部５２の載置方向に拘わらず、本体部５２内に貯留している消毒液５５の液面５５ａより重力方向の高い本体部５２の位置、即ち、本体部５２の対角線上となるような位置に設けられている。
【００５５】
つまり、図３が本体部５２の正面図だとすると、通気口５３は本体部５２の図３中右側側面の背面側最下部に設けられるとともに、もう一方の通気口５４は、通気口５３が設けられた側面と対向する側面の対角線上の位置、すなわち、本体部５２の図３中左側側面の手前側最上部の位置に設けられている。
【００５６】
また、本体部５２内には、予め設定された所定量の消毒液５５が貯留されるが、第１の実施の形態では、さらに、図３に示す本体部５２の通常の設置状態において、通気口５４が確実に消毒液５５により塞がれないようにするために、本体部５２内に貯留する消毒液５５の量を、本体部５２の総容量の半分未満の量に設定している。
【００５７】
例えば、本体部５２の高さをＬとすると、内部に貯留される消毒液５５の液面５５ａの高さＬ１が本体部の高さＬ／２未満となるような設定量の消毒液５５が本体部５２内に予め注入される。
【００５８】
従って、このような２つの通気口５３、５４を有する消毒用ボトル５０を、図３に示すように通常の設置状態で載置した場合、通気口５３については貯留している消毒液５５により閉塞されるが、もう一方の通気口５４については消毒液５５の液面５５ａよりも上に配され且つ消毒液５５により閉塞されずに開放状態となる。
【００５９】
この場合、消毒液５５により閉塞される通気口５３は、透湿性素材で構成された蓋部５３ａが設けられているので、貯留している消毒液５５が本体部５２の外部に漏れることもない。
【００６０】
また、消毒液５５により閉塞されてない一方の通気口５４は、透湿性素材で構成された蓋部５４ａが設けられているので、本体部５２内部の気体を外部へと透過させて排気して通気を行う。
【００６１】
そのため、本体部５２内部に消毒液５５によって例えばガスが発生し、本体部５２内部に圧力が加わった場合でも、この発生したガスは消毒液５５による閉塞されてない通気口５４の蓋部５４ａを介して本体部５２の外部へと排気されて通気が行われることになり、本体部５２の内部の圧力が高くなるのを防止することができ、本体部５２が破裂する虞れもない。
【００６２】
尚、本実施の形態では、本体部５２に貯留される消毒液５５の設定量は、本体部５２の総容量の半分未満の量に限定されるものではなく、例えば消毒液５５の液面５５ａが通気口５４に到達しない量までの量であれば、必要に応じて適宜変更しても良い。
【００６３】
また、これらの通気口５３，５４の少なくとも１つの通気口５３（又は５４）は、引き出されたカセットトレイ１２上に、この消毒用ボトル５０を載せた後に、このカセットトレイ１２を押し込んで内視鏡洗浄消毒装置１内の所定箇所にセットすることにより、装置本体２内のタンク（消毒用タンク）の注入口に取り付けられる。
【００６４】
このことにより、取り付けられた通気口５３の蓋部５３ａは、消毒用タンク４０の図示しない突起部により破られることで、消毒用ボトル５０の本体部５２内に貯留している消毒液５５が消毒用タンク４０内に注入される。
【００６５】
尚、消毒用ボトル５１の構成についても、前記消毒用ボトル５０と同様であり、同様の作用が生じることになる。
【００６６】
次に、このような構成の消毒用ボトル５０を立てた状態又は傾けた状態に設置した場合の作用について図４及び図５を用いて説明する。
【００６７】
図４は図３の消毒用ボトルを立てた状態の構成を示す斜視図、図５は図３の消毒用ボトルを傾けた状態の構成を示す斜視図である。
【００６８】
ユーザが例えば、図３に示すような通常の状態で設置して運搬又は保管を行った場合には、前記したように通気口５４は消毒液５５の液面５５ａよりも上に配され且つ消毒液５５により閉塞されずに開放状態となる。
【００６９】
そのため、この通気口５４には、透湿性素材で構成された蓋部５４ａが設けられているので、この蓋部５４ａを介して本体部５２内部の気体が外部へと透過されて排気が行われる。
【００７０】
このことにより、本体部５２内部に消毒液５５によって例えばガスが発生し、本体部５２内部に圧力が加わった場合でも、この発生したガスは消毒液５５による閉塞されてない通気口５４の蓋部５４ａを介して本体部５２の外部へと排気されて通気が行われることになり、本体部５２の内部の圧力が高くなるのを防止することができ、本体部５２が破裂する虞れもない。
【００７１】
また、ユーザが、例えば図４に示すよう本体部５２を立てた状態で設置して運搬又は保管を行ったものとする。このような場合、第１の実施の形態では、通気口５４については貯留している消毒液５５により閉塞されるが、もう一方の通気口５３については消毒液５５の液面５５ａよりも上に配され且つ消毒液５５により閉塞されずに開放状態となる。
【００７２】
この場合、消毒液５５により閉塞される通気口５４は、透湿性素材で構成された蓋部５４ａが設けられているので、貯留している消毒液５５が本体部５２の外部に漏れることもない。
【００７３】
また、消毒液５５により閉塞されてない一方の通気口５３は、透湿性素材で構成された蓋部５３ａが設けられているので、本体部５２内部の気体を外部へと透過させて排気して通気を行う。
【００７４】
このことにより、本体部５２内部に消毒液５５によって例えばガスが発生し、本体部５２内部に圧力が加わった場合でも、この発生したガスは消毒液５５による閉塞されてない通気口５３の蓋部５３ａを介して本体部５２の外部へと排気されて通気が行われることになり、本体部５２の内部の圧力が高くなるのを防止することができ、本体部５２が破裂する虞れもない。
【００７５】
すなわち、本体部５２を図４に示すように立てた状態で設置した場合でも、図３に示す通常の設置状態と同様の効果を有する。
【００７６】
また、ユーザが、例えば図５に示すよう本体部５２を傾けた状態で運搬又は保管を行ったものとする。このような場合、第１の実施の形態では、通気口５４については貯留している消毒液５５により閉塞されるが、もう一方の通気口５３については消毒液５５の液面５５ａよりも上に配され且つ消毒液５５により閉塞されずに開放状態となる。
【００７７】
この場合、消毒液５５により閉塞される通気口５４は、透湿性素材で構成された蓋部５４ａが設けられているので、貯留している消毒液５５が本体部５２の外部に漏れることもない。
【００７８】
また、消毒液５５により閉塞されてない一方の通気口５３は、透湿性素材で構成された蓋部５３ａが設けられているので、本体部５２内部の気体を外部へと透過させて排気して通気を行う。
【００７９】
このことにより、本体部５２内部に消毒液５５によって例えばガスが発生し、本体部５２内部に圧力が加わった場合でも、この発生したガスは消毒液５５による閉塞されてない通気口５３の蓋部５３ａを介して本体部５２の外部へと排気されて通気が行われることになり、本体部５２の内部の圧力が高くなるのを防止することができ、本体部５２が破裂する虞れもない。
【００８０】
すなわち、本体部５２を図５に示すように傾けた状態にした場合でも、図３に示す通常の設置状態と同様の効果を有する。
【００８１】
従って、以上の説明により、第１の実施の形態によれば、本体部５２の設置状態に拘わらず、外部に対して常に通気を行うことができる通気口５３、５４を備えた消毒用ボトル５０、５１を実現することが可能となり、さらにこの消毒用ボトル５０、５１を用いた内視鏡洗浄消毒装置１の実現も可能となる。
【００８２】
（第２の実施の形態）
図６から図９は本発明の消毒用ボトルの第２の実施の形態を示し、図６は第２の実施の形態の消毒用ボトルの通常の設置状態である場合の構成を示す斜視図、図７は図６の消毒用ボトルの断面図、図８は図６の消毒用ボトルを横に倒した状態の構成を示す斜視図、図９は図６の消毒用ボトルを傾けた状態の構成を示す斜視図である。
【００８３】
尚、図６から図９は、第１の実施の形態と同様の構成要素については同一の符号を付して説明を省略し、異なる部分のみを説明する。
【００８４】
第２の実施の形態では、第１の実施の形態のように複数の通気口５３、５４を本体部５２の対角線上に配置するように設けたのではなく、本体部５２内の略中心近傍に、複数の通気口５６ａ、５６ｂ、５６ｃを有する円形状の連通口５６を設けて構成されている。
【００８５】
具体的には、図６及び図７に示すように、第２の実施の形態の消毒用ボトル５０Ａは、消毒液５５を予め接設定された所定量を貯留する例えば円筒形状の本体部５２を有し、この本体部５２には、この本体部５２の中心近傍に複数の通気口５６ａ、５６ｂ、５６ｃを有する円形状の連通口５６が形成されている。
【００８６】
この連通口５６は、本体部５２の上面に開口する通気口５６ａと、本体部５２の底面に開口する通気口５６ｂと、この連通口５６の略中心近傍に設けられた通気口５６ｃとを有して構成されている。尚、通気口５６ａ及び通気口５６ｂの両方が開いた状態であれば、この消毒用ボトル５０Ａの置き方により片方が閉塞されても通気が可能である。
【００８７】
通気口５６ｃは、連通孔５６の所定幅の内周部分が本体部５２の内部と連通している開口部を形成しており、この開口部は、第１の実施の形態と同様に、液体（消毒液５５）を透過せず、気体のみを透過する特性を有する透湿性素材（例えばゴアテックス (Gore-Tex)：登録商標）で構成されている。
【００８８】
また、本体部５２内には、予め設定された所定量の消毒液５５が貯留されるが、第２の実施の形態においても、この消毒液５５の設定量は、図６に示す本体部５２の通常の設置状態において、通気口５６ｃが確実に消毒液５５により塞がれない量に設定されている。
【００８９】
この場合、消毒液５５の設定量は、例えば図８に示すように横に倒した状態や、図９に示すように傾けた状態であっても、通気口５６ｃが消毒液５５による塞がれない量である。
【００９０】
尚、通気口５６ｃは、本体部５２の高さ方向の略中心の連通口５６に設けたが、この位置に限定されるものではなく、必要に応じてその高さを高くしたり、又は低くしたり構成しても良い。
【００９１】
また、本体部５２は、円筒形状に構成した場合について説明したが、これに限定されるものではなく、四角形状のものであっても良い。
【００９２】
次に、このような第２の実施の形態の消毒用ボトル５０Ａの作用について説明する。  
ユーザが例えば、図６に示すような通常の状態で設置して運搬又は保管を行った場合には、通気口５６ｃは消毒液５５の液面５５ａよりも上に配され且つ消毒液５５により閉塞されずに開放状態となる。
【００９３】
この場合、仮に本体部５２が揺れたりして消毒液５５が通気口５６ｃに触れたとしても、この通気口５６ｃは、透湿性素材で構成されているので、貯留している消毒液５５が本体部５２の外部に漏れることもない。
【００９４】
また、この通気口５６ｃは、前記したように透湿性素材で構成され、且つ消毒液５５の液面５５ａよりも高い位置に設けられているので、本体部５２内部の気体を、図７に示すように、連通口５６の通気口５６ａ、５６ｂを介して外部へと透過させて排気して通気を行う。
【００９５】
そのため、本体部５２内部に消毒液５５によって例えばガスが発生し、本体部５２内部に圧力が加わった場合でも、この発生したガスは消毒液５５による閉塞されてない通気口５６ｃ、連通口５６の通気口５６ａ、５６ｂを介して本体部５２の外部へと排気されて通気が行われることになり、本体部５２の内部の圧力が高くなるのを防止することができ、本体部５２が破裂する虞れもない。
【００９６】
また、ユーザが、例えば図８に示すよう本体部５２を横に倒した状態で設置して運搬又は保管を行ったものとする。このような場合でも、通気口５６ｃは消毒液５５の液面５５ａよりも上に配され且つ消毒液５５により閉塞されずに開放状態となる。
【００９７】
この場合、仮に本体部５２が揺れたりして消毒液５５が通気口５６ｃに触れたとしても、この通気口５６ｃは、透湿性素材で構成されているので、貯留している消毒液５５が本体部５２の外部に漏れることもない。
【００９８】
また、この通気口５６ｃは、透湿性素材で構成され、且つ本体部５２が横に倒した状態であっても消毒液５５の液面５５ａよりも高い位置に設けられているので、本体部５２内部の気体を、連通口５６の通気口５６ａ、５６ｂを介して外部へと透過させて排気して通気を行う。
【００９９】
そのため、本体部５２内部に消毒液５５によって例えばガスが発生し、本体部５２内部に圧力が加わった場合でも、この発生したガスは消毒液５５による閉塞されてない通気口５６ｃ、連通口５６の通気口５６ａ、５６ｂを介して本体部５２の外部へと排気されて通気が行われることになり、本体部５２の内部の圧力が高くなるのを防止することができ、本体部５２が破裂する虞れもない。
【０１００】
すなわち、本体部５２を図８に示すように横に倒した状態で設置した場合でも、図６に示す通常の設置状態と同様の効果を有する。
【０１０１】
また、ユーザが、例えば図９に示すよう本体部５２を傾けた状態で運搬又は保管を行ったものとする。このような場合でも、通気口５６ｃは消毒液５５の液面５５ａよりも上に配され且つ消毒液５５により閉塞されずに開放状態となる。
【０１０２】
この場合、仮に本体部５２が揺れたりして消毒液５５が通気口５６ｃに触れたとしても、この通気口５６ｃは、透湿性素材で構成されているので、貯留している消毒液５５が本体部５２の外部に漏れることもない。
【０１０３】
また、この通気口５６ｃは、透湿性素材で構成され、且つ本体部５２が横に倒した状態であっても消毒液５５の液面５５ａよりも高い位置に設けられているので、本体部５２内部の気体を、連通口５６の通気口５６ａ、５６ｂを介して外部へと透過させて排気して通気を行う。
【０１０４】
そのため、本体部５２内部に消毒液５５によって例えばガスが発生し、本体部５２内部に圧力が加わった場合でも、この発生したガスは消毒液５５による閉塞されてない通気口５６ｃ、連通口５６の通気口５６ａ、５６ｂを介して本体部５２の外部へと排気されて通気が行われることになり、本体部５２の内部の圧力が高くなるのを防止することができ、本体部５２が破裂する虞れもない。
【０１０５】
すなわち、本体部５２を図９に示すように横に倒した状態で設置した場合でも、図６に示す通常の設置状態と同様の効果を有する。
【０１０６】
尚、内視鏡洗浄消毒装置１の消毒用タンク４０に消毒液を注入する場合には、例えば本体部５２の上面又は底面に消毒用タンク４０の図示しない突起部を有する注入口が挿通することで本体部５２内の消毒液５５の注入が可能である。
【０１０７】
従って、第２の実施の形態によれば、本体部５２内の略中心近傍に、複数の通気口５６ａ、５６ｂ、５６ｃを有する円形状の連通口５６を設けて構成した場合でも、第１の実施の形態と同様の効果を得ることが可能となる。
【０１０８】
（第３の実施の形態）
図１０から図１２は本発明の消毒用ボトルの第３の実施の形態を示し、図１０は第３の実施の形態の消毒用ボトルの通常の設置状態である場合の構成を示す斜視図、図１１は図１０の浮き式通気口部の構成を示す拡大図、図１２は図１０の消毒用ボトルを横に倒した状態の構成を示す斜視図である。
【０１０９】
尚、図１０から図１２は、第１の実施の形態と同様の構成要素については同一の符号を付して説明を省略し、異なる部分のみを説明する。
【０１１０】
第３の実施の形態では、第１の実施の形態のように複数の通気口５３、５４を本体部５２の対角線上に配置するように設けたのではなく、本体部５２内部と本体部５２外部とが連通可能な複数の通気口５８ａ、５９ａを有する浮き式通気口部５７を本体部５２に設けて構成されている。
【０１１１】
具体的には、図１０に示すように、第３の実施の形態の消毒用ボトル５０Ｂは、消毒液５５を予め接設定された所定量を貯留する例えば円筒形状の本体部５２を有し、この本体部５２には、本体部５２内部と本体部５２外部とが連通可能な複数の通気口５８ａ、５９ａを有する浮き式通気口部５７が設けられている。
【０１１２】
この浮き式通気口部５７は、図１０及び図１１に示すように、本体部５２の外周面に設けられた開口に連通する接続チューブ５８と、この接続チューブ５８の他端の開口部が内部に連通されるように設けられ、内部に空間を有する例えば球形状の浮き部５９とを有して構成されている。
【０１１３】
また、この浮き部５９の上部には開口部である通気口５９ａが設けられ、この通気口５９ａは、第１の実施の形態と同様に、液体（消毒液５５）を透過せず、気体のみを透過する特性を有する透湿性素材（例えばゴアテックス (Gore-Tex)：登録商標）で覆われている。
【０１１４】
また、浮き部５９は、本体部５２内に貯留された消毒液５５に浮くような素材で形成されており、また、本体部５２が傾いたとしても常に通気口５９ａが消毒液５５の液面５５ａに浸からないようにするための重り５９ｂが外周面又は浮き部５９の内部の所定範囲に設けられている。
【０１１５】
尚、この重り５９ｂは、浮き部５９の浮き状態に応じて適宜増やしたり、また少なくしたりして調節可能である。
【０１１６】
また、接続チューブ５８の本体部５２の外周側の開口部は、通気口５８ａを構成し、基端側の浮き部５９内の開口部は、通気口５８ｂを構成している。
【０１１７】
従って、第３の実施の形態の消毒用ボトル５０Ｂにおいても、複数の通気口５８ａ、５８ｂ、５９ａを有して構成されている。
【０１１８】
そして、このような構成によれば、本体部５２内部の空間は、浮き式通気口部６７の通気口５９ａ、浮き部５９内の空間、接続チューブ５８の通気口５８ｂ、接続チューブ５８、接続チューブ５８の通気口５８ａを介して本体部５２の外部に連通することになる。
【０１１９】
また、本体部５２内には、予め設定された所定量の消毒液５５が貯留されるが、第３の実施の形態においても、この消毒液５５の設定量は、図１０に示す本体部５２の通常の設置状態において、通気口５９ａが確実に消毒液５５により塞がれない量に設定されている。
【０１２０】
尚、本体部５２は、円筒形状に構成した場合について説明したが、これに限定されるものではなく、四角形状のものであっても良い。
【０１２１】
次に、このような第３の実施の形態の消毒用ボトル５０Ｂの作用について説明する。  
ユーザが例えば、図１０に示すような通常の状態で設置して運搬又は保管を行った場合には、通気口５９ａは、浮き部５９が消毒液５５の液面５５ａに浮くことにより、液面５５ａよりも上に配され且つ消毒液５５により閉塞されずに開放状態となる。
【０１２２】
この場合、仮に本体部５２が揺れたりしても、浮き部５９はその重り５８ｂによって常に通気口５９ａが消毒液５５の液面５５ａに浸からないように作用するとともに、この通気口５９ａは、透湿性素材で構成されているので、貯留している消毒液５５が本体部５２の外部に漏れることもない。
【０１２３】
また、この通気口５９ａは、前記したように透湿性素材で構成され、且つ浮き部５９によって消毒液５５の液面５５ａよりも高い位置に設けられているので、本体部５２内部の気体を、通気口５９ａ、浮き部５９内の空間、接続チューブ５８の通気口５８ｂ、接続チューブ５８、接続チューブ５８の通気口５８ａを介して本体部５２の外部へと排気して通気を行う。
【０１２４】
そのため、本体部５２内部に消毒液５５によって例えばガスが発生し、本体部５２内部に圧力が加わった場合でも、この発生したガスは消毒液５５による閉塞されてない通気口５９ａ、浮き部５９内の通気口５８ｂ、接続チューブ５８、通気口５８ａを介して本体部５２の外部へと排気されて通気が行われることになり、本体部５２の内部の圧力が高くなるのを防止することができ、本体部５２が破裂する虞れもない。
【０１２５】
また、ユーザが、例えば図１２に示すよう本体部５２を横に倒した状態で設置して運搬又は保管を行ったものとする。このような場合でも、通気口５９ｃは、浮き部５９が消毒液５５の液面５５ａに浮くことにより、消毒液５５の液面５５ａよりも上に配され且つ消毒液５５により閉塞されずに開放状態となる。
【０１２６】
この場合、仮に本体部５２が揺れたりしても、浮き部５９はその重り５８ｂによって常に通気口５９ａが消毒液５５の液面５５ａに浸からないように作用するとともに、この通気口５９ａは、透湿性素材で構成されているので、貯留している消毒液５５が本体部５２の外部に漏れることもない。
【０１２７】
また、この通気口５９ａは、本体部５２が横に倒した状態であっても、前記したように透湿性素材で構成され、且つ浮き部５９によって消毒液５５の液面５５ａよりも高い位置に設けられているので、本体部５２内部の気体を、通気口５９ａ、浮き部５９内の空間、接続チューブ５８の通気口５８ｂ、接続チューブ５８、接続チューブ５８の通気口５８ａを介して本体部５２の外部へと排気して通気を行う。
【０１２８】
そのため、本体部５２内部に消毒液５５によって例えばガスが発生し、本体部５２内部に圧力が加わった場合でも、この発生したガスは消毒液５５による閉塞されてない通気口５９ａ、浮き部５９内の通気口５８ｂ、接続チューブ５８、通気口５８ａを介して本体部５２の外部へと排気されて通気が行われることになり、本体部５２の内部の圧力が高くなるのを防止することができ、本体部５２が破裂する虞れもない。
【０１２９】
すなわち、本体部５２を図１２に示すように横に倒した状態で設置した場合でも、図１０に示す通常の設置状態と同様の効果を有し、また、本体部５２を傾けた場合でも、同様の効果を有する。
【０１３０】
従って、第３の実施の形態によれば、第１の実施の形態と同様の効果を有する。また、本体部５２内に浮き式通気口部５７を設けたことにより、本体部５２内に貯留する消毒液５５の量を第１及び第２の実施の形態よりも多く貯留させることができるといった効果も有する。
【０１３１】
ところで、内視鏡洗浄消毒装置１で用いられる過酢酸等の消毒液は、使用食前に第１剤と第２剤とを調合し、実用液まで希釈して使用される。しかし、ユーザーは調合のためだけに、かなりの力量で消毒用ボトルの封止部分を突き破る作業が必要であり、ユーザに対して負担になっていた。
【０１３２】
図１３はこのような従来の消毒用ボトルを内視鏡洗浄消毒装置にセットする際の問題点を説明するための説明図である。
【０１３３】
従来では、図１３に示すように、消毒用ボトル２０４は、第１剤を貯留しているボトル部２０５と、第２剤を貯留しているボトル部２０６とを有し、これらのボトル２０５、２０６には、内視鏡洗浄消毒装置２００の装置本体２０１内に設けられた爪部２０３が挿通するための注入口２０５ａ、２０６ａがそれぞれ設けられている。
【０１３４】
尚、これら注入口２０５ａ、２０６ａは、通気口をそれぞれ形成するものであり、これら開口部には、透湿性素材で形成された蓋部２０５ｂ、２０６ｂがそれぞれ設けられている。
【０１３５】
そして、消毒用ボトル２０４を使用する場合には、この消毒用ボトル２０４の注入口２０５ａ、２０６ａを装置本体２０１のそれぞれの爪部２０３に突き当て、そして、これらの爪部２０３が各蓋部２０５ｂ、２０６ｂを突き破ることによって、各ボトル部２０５、２０６からの第１剤及び第２剤が爪部２０３を介して、装置本体２０１内のタンク２０２に調合され且つ希釈されて貯留される。
【０１３６】
しかしながら、このような従来の消毒用ボトル２０４では、前記したようにかなりの力量で消毒用ボトル２０２の蓋部２０５ｂ、２０６ｂを突き破る作業が必要であり、ユーザに対して負担になっていた。
【０１３７】
そこで、本発明では、このような問題点に鑑み、消毒液の調合作業を簡単に行うことができる消毒用ボトル及びこれを用いた内視鏡洗浄消毒装置を実現させている。
【０１３８】
このような実施の形態を図１４に示す。
【０１３９】
（第４の実施の形態）
図１４は本発明の第４の実施の形態の消毒用ボトルを用いた内視鏡洗浄消毒装置の主要部の構成を説明するための説明図である。
【０１４０】
図１４に示すように、トップカバ３の所定箇所には、収容される消毒用ボトル６０側に向けて突起している突起部６４が設けられている。この突起部６４は、例えば図１４に示すように先のとがった形状に構成され、さらに、その長手方向の所定箇所には、水平方向に突起する小さいな突起６４ａが複数設けられている。
【０１４１】
一方、装置本体２の所定箇所には、消毒用ボトル６０を収容する容器収容部１１Ａが設けられ、この容器収容部１１Ａの底面には、装置本体２内の消毒用タンク４０と連通する連通管路６５が設けられている。
【０１４２】
この容器収容部１１Ａに収容される消毒用ボトル６０は、図１４に示すように円筒形状に構成され、さらに、第１剤６２を貯留する第１貯留部６０と、第２剤６３を貯留する第２貯留部６１とが高さ方向に重なるように設けられている。
【０１４３】
尚、このような消毒ボトル６０では、第１貯留部６０の上面６０ａ、第１貯留部６０と第２の貯留部６１との境界面６１ａ、及び第２貯留部６１の底面６１ｂは、例えば透湿性部材等の、突起部６４により突き破られ易い材質で構成されている。また、消毒用ボトル６０全てを、例えば軟性材質の樹脂、又は軟性材質の袋体として構成しても良い。
【０１４４】
このような構成の内視鏡洗浄消毒装置においては、トップカバ３を図１４に示すＢ方向に閉じた際に、突起部６４の先端部及び突起６４ａによって、第１貯留部６０と第２貯留部６１の両方を貫通させる。尚、この場合、突起部６４の突起６４ａは、消毒用ボトル６０を突き破る際に、第１貯留部６０の上面６０ａ、第１貯留部６０と第２の貯留部６１との境界面６１ａ、及び第２貯留部６１の底面６１ｂに生じる穴を大きく押し広げる役割がある。
【０１４５】
そのため、第１貯留部６０内の第１剤６２と、第２貯留部６１内の第２剤６３とは容器収容部１１Ａの底面側に流れ、その後、連通管路６５を介して装置本体２内の消毒用タンク４０内へと流れてこの消毒用タンク４０内にて調合される。
【０１４６】
従って、第４の実施の形態によれば、トップカバ３を閉める動作のみで消毒用ボトル６０を突き破ることができるので、軽い力量で行うことができる。また、このような１度の動作で、第１剤６２と第２剤６３とを消毒用タンク４０内に注入して調合することが出来るので、調合作業を簡単に行うことが可能となる。さらに、消毒用ボトル６０は、軟性材質で構成されているので、調合後に小さくつぶして廃棄することができ、ゴミの容量を削減できるといった効果も有する。
【０１４７】
（第５の実施の形態）
図１５は本発明の第５の実施の形態の消毒用ボトルを用いた内視鏡洗浄消毒装置の主要部の構成を説明するための説明図である。
【０１４８】
図１５に示すように、第５の実施の形態の内視鏡洗浄消毒装置は、図４の実施の形態の装置を改良したもので、容器収容部１１Ｂの底面に突起部６８を上方向に向けて設け、さらに底面にバネ等の弾性部材６７を設ける。この弾性部材６７の上部にはこの容器収容部１１Ｂ内を上下方向に移動可能なボトル設置台６６が設けられている。
【０１４９】
このボトル設置第６６の略中央近傍には、第１剤６２及び第２剤６３を流し込むとともに突起部６８を挿通させるための連通口６１ｂが設けられている。
【０１５０】
尚、突起部６８は、第４の実施の形態で用いた突起部６４と略同様に構成されたもので、図１５に示すように、例えば先のとがった形状に構成され、さらに、その長手方向の所定箇所には、水平方向に突起する小さいな突起６８ａが複数設けられている。
【０１５１】
容器収容部１１Ｂに収容する消毒用ボトル６０は、第４の実施の形態と同様である。
【０１５２】
このような構成の内視鏡洗浄消毒装置においては、まず、容器収容部１１Ｂ内の容器設置台１１Ｂの載せるように消毒用ボトル６０を収容容器部１１Ｂ内に収容させる。
【０１５３】
そして、トップカバ３を図１５に示すＢ方向に閉じると、このトップカバ３による接触により消毒用ボトル６０は下方へと押され、同時に容器設置台６６が下方へと押圧される。
【０１５４】
すると、容器設置台６６の連通口６１ｂから突起部６８が突出することによって、第１貯留部６０と第２貯留部６１の両方を貫通させる。
【０１５５】
そのため、第１貯留部６０内の第１剤６２と、第２貯留部６１内の第２剤６３とは容器収容部１１Ａの底面側に流れ、その後、連通管路６５を介して装置本体２内の消毒用タンク４０内へと流れてこの消毒用タンク４０内にて調合される。
【０１５６】
従って、第５の実施の形態によれば、第４の実施の形態と同様に効果を有する。
【０１５７】
（第６の実施の形態）
図１６は本発明の第６の実施の形態の消毒用ボトルを用いた内視鏡洗浄消毒装置の主要部の構成を説明するための説明図である。
【０１５８】
図１６に示すように、第６の実施の形態の内視鏡洗浄消毒装置は、図４の実施の形態の装置を改良したもので、１つの消毒用ボトル６０で第１貯留部６０及び第２貯留部６１を一体的に構成したものではなく、第１剤用消毒用ボトル７０と第２剤消毒用ボトル７１との２つに分離して構成しても良い。
【０１５９】
この場合、第１剤用消毒用ボトル７０には第１剤７２が貯留され、第２剤消毒用ボトル７１には第２剤７３が貯留される。
【０１６０】
また、２つの第１剤及び第２剤消毒用ボトル７０、７１をそれぞれ収容する２つの容器収容部１１Ａを設けるとともに、突起部６４についても、これら２つの容器収容部１１Ａの位置に合わせてトップカバ３に設けて構成している。
【０１６１】
そして、各容器収容部１１Ａのそれぞれ連通管路６５は、装置本体２内の消毒用タンク４０にそれぞれ連通するように構成されている。
【０１６２】
その他の構成は第４の実施の形態と同様である。
【０１６３】
このような構成の内視鏡洗浄消毒装置においては、第４の実施の形態と同様にそれぞれの突起部６４が第１、第２剤用消毒用ボトル７０，７１をそれぞれ同時に貫通させて、それぞれの第１剤７２、第２剤７３を消毒用タンク４０内へと注入されて調合される。
【０１６４】
その他の作用については第４の実施の形態と同様である。
【０１６５】
従って、第６の実施の形態によれば、第１剤及び第２剤用消毒用ボトル７０、７１の２つに分離して設けた場合でも、第４の実施の携帯と同様の効果が得られる。
【０１６６】
尚、本発明は、以上述べた実施の形態及び変形例のみに限定されるものではなく、発明の要旨を逸脱しない範囲で種々変形実施可能である。
【図面の簡単な説明】
【０１６７】
【図１】本発明の第１の実施の形態に係り、トップカバが開放され、洗浄消毒槽に内視鏡が収納自在な状態を示す内視鏡洗浄消毒装置の斜視図。
【図２】トップカバを閉じて洗浄消毒槽を塞いだ状態を示す内視鏡洗浄消毒装置の斜視図。
【図３】第１の実施の形態の消毒用ボトルの通常の設置状態である場合の構成を示す斜視図。
【図４】図３の消毒用ボトルを立てた状態の構成を示す斜視図。
【図５】図３の消毒用ボトルを傾けた状態の構成を示す斜視図。
【図６】本発明の第２の実施の形態の消毒用ボトルの通常の設置状態である場合の構成を示す斜視図。
【図７】図６の消毒用ボトルの断面図。
【図８】図６の消毒用ボトルを横に倒した状態の構成を示す斜視図。
【図９】図６の消毒用ボトルを傾けた状態の構成を示す斜視図。
【図１０】本発明の第３の実施の形態の消毒用ボトルの通常の設置状態である場合の構成を示す斜視図。
【図１１】図１０の浮き式通気口部の構成を示す拡大図。
【図１２】図１０の消毒用ボトルを横に倒した状態の構成を示す斜視図。
【図１３】従来の消毒用ボトルを内視鏡洗浄消毒装置にセットする際の問題点を説明するための説明図。
【図１４】本発明の第４の実施の形態の消毒用ボトルを用いた内視鏡洗浄消毒装置の主要部の構成を説明するための説明図。
【図１５】本発明の第５の実施の形態の消毒用ボトルを用いた内視鏡洗浄消毒装置の主要部の構成を説明するための説明図。
【図１６】本発明の第６の実施の形態の消毒用ボトルを用いた内視鏡洗浄消毒装置の主要部の構成を説明するための説明図。
【図１７】従来の消毒用ボトルの構成を説明するための斜視図。
【図１８】図１７の消毒用ボトルを横倒し状態にした構成を示す斜視図。
【図１９】図１７の消毒用ボトルを逆さま状態にした構成を示す斜視図。
【符号の説明】
【０１６８】
１…内視鏡洗浄消毒装置、
２…装置本体、
４…洗浄消毒槽、
１１ａ…洗浄剤タンク
１１ｂ…アルコールタンク、
４０、４１…消毒用タンク、
５０，５１…消毒用ボトル、
５２…本体部、
５３、５４…通気口、
５３ａ、５４ａ…蓋部、
５５…消毒液、
５５ａ…液面。
【図１】
2009148368.tif 000003
【図２】
2009148368.tif 000004
【図３】
2009148368.tif 000005
【図４】
2009148368.tif 000006
【図５】
2009148368.tif 000007
【図６】
2009148368.tif 000008
【図７】
2009148368.tif 000009
【図８】
2009148368.tif 000010
【図９】
2009148368.tif 000011
【図１０】
2009148368.tif 000012
【図１１】
2009148368.tif 000013
【図１２】
2009148368.tif 000014
【図１３】
2009148368.tif 000015
【図１４】
2009148368.tif 000016
【図１５】
2009148368.tif 000017
【図１６】
2009148368.tif 000018
【図１７】
2009148368.tif 000019
【図１８】
2009148368.tif 000020
【図１９】
2009148368.tif 000021